(57)【要約】【課題】振動方向または振動周波数が異なる２以上の振動発生器を積層・モジュール化して多様なモードの振動を発生させる装置を提供する。【解決手段】第１コイル部と、第１磁界部を具備して、上記第１コイル部に形成された電界と上記第１磁界部に形成された磁場の相互作用により一定の方向へ振動を発生させる第１振動発生器；及び上記第１振動発生器の上部に垂直方向へ順次に固定配置され、第２コイル部と、第２磁界部を各々具備し、上記第２コイル部に形成された電界と上記第２磁界部に形成された磁場の相互作用によって一定の方向へ振動を発生させる第２振動発生器;を含み、上記第２振動発生器は上記第１振動発生器の振動方向と異なる方向の振動を発生させるか、上記第１振動発生器の周波数と異なる周波数の振動を発生させることにより多様なモードの振動を発生させる。【選択図】図５
2006088145.tif 000002
【特許請求の範囲】
【請求項１】
第１電源印加手段により印加される電源により電界を形成する第１コイル部と一定の強さの磁場を形成する第１磁界部とを備え、上記第１コイル部に形成された電界と上記第１磁界部に形成された磁場との相互作用により一定の方向へ振動を発生させる第１振動発生器と、
上記第１振動発生器の上部に垂直方向へ順次に固定配置され、各々の第２電源印加手段により印加される電源により電界を形成する第２コイル部と一定の強さの磁場を形成する第２磁界部を各々備え、上記第２コイル部に形成された電界と上記第２磁界部に形成された磁場との相互作用により一定の方向へ振動を発生させる少なくとも一つの第２振動発生器と
を備え、
上記第２振動発生器は、上記第１振動発生器の振動方向と異なる方向の振動を発生させるか、上記第１振動発生器の周波数と異なる周波数の振動を発生させることにより多様なモードの振動を発生させる通信端末機用マルチモード振動発生装置。
【請求項２】
上記第１電源印加手段及び上記各々の第２電源印加手段を外部の電源と連結する印刷回路基板をさらに備えることを特徴とする請求項１に記載の通信端末機用マルチモード振動発生装置。
【請求項３】
上記印刷回路基板は、上記第１コイル部及び第１磁界部を収容する第１ハウジングの底板の役目を果たすよう形成され、
上記印刷回路基板の上面には、上記第１電源印加手段及び上記各々の第２電源印加手段と連結される上部パターンが形成され、下面には上記上部パターンを外部電源と連結されるよう下部パターンが形成され、
上記上部パターンと下部パターンは、上記印刷回路基板を貫通して形成された連結口を通して回路的に連結されることを特徴とする請求項２に記載の通信端末機用マルチモード振動発生装置。
【請求項４】
上記下部パターンは、上記上部パターンに対応して所定の間隔で形成された多数の同心円または同心を有する多数の四角形から成ることを特徴とする請求項３に記載の通信端末機用マルチモード振動発生装置。
【請求項５】
上記第１振動発生器は、上記第１コイル部により形成された電界と上記第１磁界部により形成された一定の強さの磁場との相互作用により運動部が線形方向の振動を発生させる線形振動子から成り、
上記各々の第２振動発生器は、上記第１振動発生器及び他第２振動発生器とは異なる方向または異なる周波数の振動を発生させることを特徴とする請求項１に記載の通信端末機用マルチモード振動発生装置。
【請求項６】
上記第１振動発生器は、上記第１コイル部により形成された電界と上記第１磁界部により形成された一定の強さの磁場との相互作用により偏心した回転子を回転させることにより回転子の回転平面上に振動を発生させるコインタイプ振動モータから成り、
上記各々の第２振動発生器は、上記第１振動発生器及び他第２振動発生器とは異なる方向または異なる周波数の振動を発生させることを特徴とする請求項１に記載の通信端末機用マルチモード振動発生装置。
【請求項７】
上記各々の第２振動発生器は、運動部の共振による線形振動を発生させる線形振動子から成ることを特徴とする請求項５または６に記載の通信端末機用マルチモード振動発生装置。
【請求項８】
上記各々の第２振動発生器は、偏心した回転子を回転させることにより回転子の回転平面上に振動を発生させるコインタイプ振動モータから成ることを特徴とする請求項５または６に記載の通信端末機用マルチモード振動発生装置。
【請求項９】
上記線形振動子は、上記印刷回路基板と平行な平面内の一直線上または上記印刷回路基板と垂直な直線上で線形方向へ振動することを特徴とする請求項７に記載の通信端末機用マルチモード振動発生装置。
【請求項１０】
上記コインタイプ振動モータは、偏心した回転子の駆動回転数、偏心量、または偏心質量に応じて異なる周波数または異なる振動量の振動を発生させることを特徴とする請求項８に記載の通信端末機用マルチモード振動発生装置。
【請求項１１】
上記第１振動発生器及び第２振動発生器を囲繞し固定させるフレームをさらに備えることを特徴とする請求項１に記載の通信端末機用マルチモード振動発生装置。
【請求項１２】
上記フレームは、全体として「コ」の字形となり、上記第１振動発生器及び第２振動発生器の両側面と最上側第２振動発生器の上部面を囲繞し、
上記フレームの終端は、印刷回路基板の縁端部両側に固定されることを特徴とする請求項１１に記載の通信端末機用マルチモード振動発生装置。
【請求項１３】
上記第１振動発生器及び各々の第２振動発生器の振動発生を独立的に制御する制御部をさらに備えることを特徴とする請求項１に記載の通信端末機用マルチモード振動発生装置。
【請求項１４】
上記制御部は、上記第１振動発生器と各々の第２振動発生器とのうち少なくとも２以上の振動発生器を同時に駆動させて振動方向または周波数の異なる複合的な振動を発生させることを特徴とする請求項１３に記載の通信端末機用マルチモード 振動発生装置。
【請求項１５】
上記制御部は、上記振動発生器に線形振動子が使用される場合に印加される電源の電圧を調節してコイルに発生する電界の強さ及びそれによる振動量の強さを調節することを特徴とする請求項１３に記載の通信端末機用マルチモード振動発生装置。
【請求項１６】
上記制御部は、上記振動発生器に印加される電源の連結時間及び休止時間を調節することにより振動維持時間の長短を制御することを特徴とする請求項１３に記載の通信端末機用マルチモード振動発生装置。
【発明の詳細な説明】
【技術分野】
【０００１】
本発明は、多様なモードの振動を発生する装置に関する。特に本発明は、振動方向または振動量、振動周波数の異なる２以上の振動発生器を積層及びモジュール化して多様なモードの振動を発生させるようにした装置に関する。
【背景技術】
【０００２】
一般に、通信端末機に必ず必要な機能の一つが着信機能である。こうした着信機能として多く使われるタイプには、メロディーやベルのような発鳴機能と機器を震わせる振動機能とがある。
【０００３】
このうち、とりわけ振動機能はスピーカーを通してメロディーやベルが外部に伝わることにより他人に迷惑をかけることを避ける場合主に使用される。こうした振動のためには、小型の振動モータの駆動により駆動力が機器のケースへ伝わるようにして機器を振動させることが一般である。
【０００４】
一方、最近には通信端末機の多機能、とりわけマルチメディア機能の実現のために多様な振動を発生させる振動発生装置に対する必要性が高まっている。
現在、通信端末機に適用されている回転型振動モータは、モータの形状により薄い厚さを有するコインタイプ（coin type）と長い形態のバータイプ（bar type）とに区分される。
【０００５】
図１aは、一般のコインタイプ振動モータの分解図であり、図１b及び図１cは、従来のコインタイプ振動モータの断面図である。、図１aないし図１cについて説明すれば次のとおりである。
【０００６】
コインタイプ振動モータ（１００）は、大きく固定部材の固定子（１１０、stator assembly）と回転部材の回転子（１２０、rotor assembly）から成る。
【０００７】
上記固定子（１１０）においては、円形の平板であるブラケット（bracket、１１１）の上部面に下部基板（１１２）が接合され、この下部基板（１１２）の外側には、同心円を有する環状のマグネット（magnet、１１３）が同一な方法で付着され形成される。
【０００８】
上記ブラケット（１１１）の上部はケース（case、１５０）により密閉され、ブラケット（１１１）とケース（１５０）は中央のシャフト（shaft、１３０）により連結される。
【０００９】
上記シャフト（１３０）は回転可能に回転子（１２０）を備え、上記回転子（１２０）は再びベアリング（bearing、１２１）、コイルアセンブリー（coil assembly、１２２）、重量体（counter weight、１２３）、整流子（commutator、１２４）、上部基板（１２５）、及び絶縁物（１２６）を備える。
【００１０】
この際、上記固定子（１１０）と回転子（１２０）は、その下端が下部基板（１１２）に固定されると共に、その上端が整流子（１２４）と接触するように構成されたブラシ（１４０）により電気的に連結される。
【００１１】
また、コインタイプ振動モータ（１００）のブラケット（１１１）の上面に形成された下部基板（１１２）と電源を連結するために図１aに示したリード線（１１４）を利用するが、上記のリード線（１１４）の代わりにコネクタまたはFPCB連結端子などを利用することもできる。
【００１２】
図１cにおいて説明のない符号である、１１７はモールド部、１１８はヨーク、１１９は補助片、１２７はワッシャーを示す。
【００１３】
こうしたコインタイプ振動モータの作用は次のとおりである。図１aのリード線（１１４）などを通して外部電源が印加されると、上記ブラシ（１４０）と上部基板（１２５）を通して偏心された回転子（１２０）内に配されたコイルアセンブリー（１２２）に電流が流れ、マグネット（１１３）とケース（１５０）から成る界磁の相互作用により上記重量体（１２３）により偏心された回転子（１２０）がベアリング（１２１）を通して上記シャフト（１３０）の周囲を回転することにより振動が引き起こされる。
【００１４】
この際、振動方向は、上記回転子（１２０）が振動する平面、即ちシャフト（１３０）に垂直な平面となる。
【００１５】
図２は、従来のバータイプ振動モータの側面図を示す。これについて説明すれば次のとおりである。バータイプの振動モータ（２００）は、大きく固定子（２１０）と回転子（２２０）から成る。
【００１６】
上記固定子（２１０）は、ボディ（２１１）、上記ボディの一側に固定される固定キャップ（２１２）、及びマグネット（２１３）を備え、上記ボディは中空型の円筒形状であり、その内側にはマグネット（２１３）が固定されている。
【００１７】
上記回転子（２２０）は、偏心錘（２２３）、固定体（２２５）の一面に分割され固定された複数の整流子（２２４）、及び上記固定体に固定された複数のコイルアセンブリー（２２２）を備える。
【００１８】
上記固定キャップ（２１２）には、一対のブラシ（２４０）が固定された下部基板（図示せず）が装着される。上記ブラシ（２４０）は、電源を供給するリード線（２１５）と連結され、上記整流子（２２４）に接触して電流を印加する。
【００１９】
こうしたバータイプ振動モータの回転方向は、上記回転子（２２０）が回転する平面となる。先述したコインタイプまたはバータイプの振動モータは形態上の差がややあるものの、不平衡質量を有する回転部を回転させることにより機械的振動を得る方式を用いており、ブラシと整流子の接点を通して回転子コイルに電流を供給する構造で殆どの回転力を発生させる。
【００２０】
しかし、このように偏心した回転子を回転させることにより振動を発生させる回転型振動モータは、モータの設計時に偏心量、偏心質量、及び駆動回転数などが予め決定され、よって振動量（振動力）が固定されるので、発生する振動の大きさが一定である。
【００２１】
即ち、次の数式１のように振動量（F）は、振動体の質量（m）、偏心量（e）、及び駆動回転数の自乗（ω２）に比例して、モータの設計時にこれらの値が予め決定されているので、一定の振動量の振動のみが発生する。
（数式１）  F ∝ m × e × ω２
【００２２】
また、コインタイプまたはバータイプ振動モータの振動方向は、回転子の回転平面に限定されるので、単一形態の振動のみが発生し、様々なパターンの振動発生が要されるマルチメディア機能通信端末機などには適用し得ないばかりでなく、使用者が振動量を選択し得ないとの問題がある。
【００２３】
これとは異なり、水平方向の線形振動を発生させる線形振動子を図３に示す。これについて説明すれば次のとおりである。
【００２４】
円筒形状のフレーム（３１０）の軸方向外端には固定軸の両端を支持する一対のブラケット（３１４、３１５）が設けられ、上記フレームの内周面には、電源入力端子を有する円筒形状のコイル（３２０）が円周方向へ固定される。
【００２５】
運動部（３５０）は、半径方向へ着磁される円筒形状のマグネット（３３０）、上記マグネット（３３０）の軸方向両端に設けられるベアリング（３１７、３１８）、及び上記ベアリング（３１７、３１８）と上記ブラケット（３１４、３１５）との間に設けられる弾性部材（３４０）から成る。
【００２６】
図４は、従来の垂直方向の線形振動子の断面図である。これについて説明すれば次のとおりである。
【００２７】
図４に示した垂直方向の線形振動子は、マグネットによる磁力とコイルアセンブリーから発生した所定周波数の電磁気力との相互作用により、運動部が上下に共振を起こすことによって振動するものであって、大きく運動部（４２０）、コイルアセンブリー（４４１）、及びケース（４１０）を備える。
【００２８】
上記運動部（４２０）は、マグネット（４２１）、上記マグネット（４２１）を覆うヨーク（４２２）、上記ヨーク（４２２）の両側面に付着される所定の大きさの質量を有する質量体（４２３）、及びプレート（４２４）から成る。
【００２９】
上記コイルアセンブリー（４４１）は、上記運動部（４２０）の上側に配され、所定周波数の電磁気力を発生させる。また、弾性部材（４３０）は、運動部（４２０）と連結され、周波数の印加時振動を引き起こす役目を果たす。
【００３０】
このような形態の垂直方向の線形振動子（４００）は、コイルアセンブリー（４４１）が下端に装着されるよう配することができ、その場合にはコイルアセンブリー下側に入力端子と連結されるようフレキシブル印刷回路（flexible printed circuit）を配することができる。
【００３１】
図３及び図４に示した線形振動子は、マグネット（３３０、４２１）による磁力と外部から印加される電源によりコイルアセンブリー（３２０、４４１）から発生した所定周波数の電磁気力の相互作用により運動部（３５０、４２０）が左右または上下に共振を起こして振動するようになる。
【００３２】
さらに、このような共振周波数を利用した線形振動子において、振動量（F）は、次の数１のように振動体の質量（M）、振動体の変位（X）、及び共振周波数の自乗（f２）に比例する。
【数１】
2006088145.tif 000003
【００３３】
しかし、こうした線形振動子も定められた方向以外の振動を発生させ得ないという問題があり、かつ印加される電圧に応じた共振周波数の変更により振動量の調節が可能であるとしても基本的に線形振動子の設計時設定された振動量だけの振動のみが発生する問題がある。
【００３４】
したがって、諸形態の振動を発生させ得る振動発生装置が当技術分野において要されてきた。
【００３５】
また、装着面積と組立工程数をそのまま維持しながらもリフロー装着が可能であり、振動方向及び/または振動周波数、振動量において多様なモードの振動を発生させるためのモジュール化した装置の必要性が増加してきている。
【発明の開示】
【発明が解決しようとする課題】
【００３６】
本発明は上記のような問題を解決するためのもので、振動方向、振動周波数または振動量において多様なモードの振動を発生させる通信端末機用マルチモード振動発生装置を提供することを目的とする。
【００３７】
また、本発明は設置容積が小さく組立性が優れるようモジュール化が可能な通信端末機用マルチモード振動発生装置を提供することを目的とする。
【００３８】
さらに、リフロー装着のための印刷回路基板を備え、この印刷回路基板を通して振動を伝達することにより、装着面積の最少化とモジュール化が可能な通信端末機用マルチモード振動発生装置を提供することを目的とする。
【課題を解決するための手段】
【００３９】
上記のような目的を成し遂げるために本発明は、第１電源印加手段により印加される電源により電界を形成する第１コイル部と、一定の強さの磁場を形成する第１磁界部を具備し、上記第１コイル部に形成された電界と上記第１磁界部から形成された磁場の相互作用によって一定な方向へ所定振動量の振動を発生させる第１振動発生器;及び上記第１振動発生器の上部に垂直方向へ順次に固定配置され、各々の第２電源印加手段により印加される電源により電界を形成する第２コイル部と、一定の強さの磁場を形成する第２磁界部を各々具備し、上記第２コイル部に形成された電界と上記第２磁界部に形成された磁場の相互作用によって一定の方向へ所定振動量の振動を発生させる少なくとも一つの第２振動発生器;を含み、上記第２振動発生器は上記第１ 振動発生器の振動方向と異なる方向の振動を発生させるか、上記第１振動発生器の周波数と異なる周波数の振動を発生させることにより多様なモードの振動を発生させる通信端末機用マルチモード 振動発生装置を提供する。
【００４０】
好ましくは、上記振動発生装置は上記第１電源印加手段及び上記各々の第２電源印加手段を外部の電源と連結する印刷回路基板をさらに含むことができる。
【００４１】
より好ましくは、上記印刷回路基板は上記第１コイル部及び第１磁界部を収容する第１ハウジングの底板の役目を果たすよう形成され、上記印刷回路基板の上面には上記第１電源印加手段及び上記各々の第２電源印加手段と連結される上部パターンが形成され、下面には上記上部パターンを外部電源と連結させるよう下部パターンが形成され、上記上部パターンと下部パターンは上記印刷回路基板を貫通して形成された連結口を通して回路的に連結される。
【００４２】
好ましくは、上記第１振動発生器は上記第１コイル部に形成された電界と上記第１磁界部に形成された一定の強さの磁場との相互作用により運動部が線形方向の振動を発生させる線形振動子から成るか、偏心した回転子を回転させることにより回転子の回転平面上に振動を発生させるコインタイプ振動モータから成り、上記各々の第２振動発生器は上記第１振動発生器及び他第２振動発生器とは異なる方向または異なる周波数の振動を発生させる。
【００４３】
この際、上記各々の第２振動発生器は運動部の共振による線形振動を発生させる線形振動子から成るか、偏心した回転子を回転させることにより回転子の回転平面上に振動を発生させるコインタイプ振動モータから成ることができる。
【００４４】
好ましくは、上記線形振動子は上記印刷回路基板と平行な平面内の一直線上または上記印刷回路基板と垂直な直線上の線形方向へ振動し、予め決定された固有振動数（natural frequency）に応じて異なる周波数の振動を発生させる。
【００４５】
さらに好ましくは、上記コインタイプ振動モータは偏心した回転子の駆動回転数、偏心量または偏心質量に応じて異なる周波数または異なる振動量の振動を発生させる。
【００４６】
上記振動発生装置は上記第１振動発生器及び第２振動発生器を囲繞し固定するフレームをさらに含むか、上記第１振動発生器及び各々の第２振動発生器の振動発生を独立的に制御する制御部をさらに含むことができる。
【発明の効果】
【００４７】
以上のように本発明によると、振動方向及び/または周波数、振動量において多様なモードの振動を発生させることにより使用者のニーズに応じた振動を選択的に発生させられるばかりでなく、ゲームなどのマルチメディア機能に対する応答機器に活用できる効果がある。
【００４８】
また、本発明はモジュール化を通してリフロー装着が可能でありながらも設置面積が小さく、組立性が優れたマルチモード振動発生器を提供する効果がある。
【発明を実施するための最良の形態】
【００４９】
以下、本発明の実施例について添付の図に基づいてより詳しく説明する。
【００５０】
図５a、５b、５cは本発明によるマルチモード振動発生装置の構造の一実施例を示す斜視図で、図６及び図７は各々本発明によるマルチモード振動発生装置の分解斜視図及び断面図である。また、図８a乃至８cは本発明による印刷回路基板の上部及び下部パターンの一実施例を示す平面図である。
【００５１】
図５のような本発明による通信端末機用マルチモード振動発生装置は第１振動発生器（１０）、少なくとも一つ以上の第２振動発生器（２０）を含む。
【００５２】
上記第１振動発生器（１０）及び各々の第２振動発生器（２０）は図１、図３及び図４において提示されたコインタイプ振動モータ（１００）、水平方向の線形振動子（３００）及び垂直方向の線形振動子（４００）が使用される。
【００５３】
上記第１振動発生器（１０）は第１ 電源印加手段、第１コイル部及び第１磁界部を具備し、上記各々の第２振動発生器（２０）は上記第１振動発生器（１０）の上部に垂直方向へ順次に少なくとも一つ以上固定配置され、各々の第２電源印加手段、第２コイル部及び第２磁界部を各々具備する。
【００５４】
この際、上記第１電源印加手段は図１及び図２のリード線（１１４、２１５）が使用されることができるが、上記のリード線（１１４、２１５）の代わりに図５a及び５cのFPCB（flexible printed circuit board）連結端子（２５a、２５b）などを利用することもできる。
【００５５】
上記第１コイル部及び第２コイル部は図１ないし図４のコイルアセンブリー（１２２、２２２、３２０、４４１）がこれに該当し、以下では上記第１コイル部及び第２コイル部は各々C１、C２と表記する。
【００５６】
また、図１ないし図４のマグネット（１１３、２１３、３３０、４２１）などが上記第１磁界部及び第２磁界部の役目を果たし、以下では上記第１磁界部及び第２磁界部は各々M１、M２と表記する。
【００５７】
即ち、図５のように、上記第１振動発生器（１０）は第１電源印加手段（図示せず）により印加される電源により電界を形成する第１コイル部（C１）と、一定の強さの磁場を形成する第１磁界部（M１）を具備し、上記第１コイル部（C１）に形成された電界と上記第１磁界部（M１）に形成された磁場との相互作用によって一定の方向へ振動を発生させ、上記第１振動発生器（１０）にはコインタイプ振動モータ（１００）、水平方向の線形振動子（３００）及び垂直方向の線形振動子（４００）が使用される。
【００５８】
同様に、各々の上記第２振動発生器（２０a、２０b）は第２電源印加手段（２５a、２５b、２６a、２６b）により印加される電源により電界を形成する第２コイル部（C２）と、一定の強さの磁場を形成する第２磁界部（M２）を具備し、上記第２コイル部（C２）に形成された電界と上記第２磁界部（M２）に形成された磁場との相互作用によって一定の方向へ振動を発生させ、上記第２振動発生器（２０a, ２０b）にはコインタイプ振動モータ（１００）、水平方向の線形振動子（３００）及び垂直方向の線形振動子（４００）が使用される。
【００５９】
この際、上記各々の第２振動発生器（２０aまたは２０b）は上記第１振動発生器（１０）及び他第２振動発生器（２０bまたは２０a）の振動方向と異なる方向の振動を発生させるか、上記第１振動発生器（１０）及び他第２振動発生器（２０bまたは２０a）の周波数とは異なる周波数を有する振動を発生させる。
【００６０】
また、上記第２振動発生器（２０a）は上記第１振動発生器（１０）の上部にボンディング、溶接などを通して固定され、他第２振動発生器（２０b）は上記第２振動発生器（２０a）の上部にボンディング、溶接などにより固定される。
【００６１】
好ましくは、上記第１振動発生器（１０）は上記第１コイル部（C１）に形成された電界と上記第１磁界部（M１）に形成された一定の強さの磁場との相互作用により運動部が線形方向へ共振を引き起こすようにし線形方向の振動を発生させる線形振動子から成ることができる。
【００６２】
ここで、上記線形振動子は図３または図４に示した水平方向振動子（３００）または垂直方向振動子（４００）が使用され、図３と図４に示した運動部（３５０、４２０、以下では「V」という）が磁場と電界との相互作用により共振を起こし振動を発生させるようになる。
【００６３】
また、上記第１振動発生器（１０）は上記第１コイル部（C１）に形成された電界と上記第１磁界部（M１）に形成された一定の強さの磁場との相互作用により偏心した回転子を回転させることにより回転子の回転平面上に振動を発生させるコインタイプ振動モータから成ることができる。
【００６４】
ここで、コインタイプ振動モータは図１aないし図１cに一例として示されたコインタイプ振動モータ（１００）から成り、図１aないし図１cに示された回転子（１２０、以下では「R」という）が偏心し回転しながら振動を発生させるようになる。
【００６５】
一方、上記のような上記第１振動発生器（１０）として線形振動子（３００、４００）またはコインタイプ振動モータ（１００）が用いられる場合に、上記各々の第２振動発生器（２０a、２０b）は上記第１振動発生器（１０）及び他第２振動発生器（２０b、２０a）とは異なる方向または異なる振動量の振動を発生させるが、運動部（V）の共振による線形振動を発生させる線形振動子（３００、４００）から成るか偏心した回転子（R）を回転させることにより回転子（R）の回転平面上に振動を発生させるコインタイプ振動モータ（１００）から成ることができる。
【００６６】
この際、各々の振動発生器（１０、２０）が相異する振動方向へ振動するようにするために、第１振動発生器（１０）及び各々の第２振動発生器（２０a、２０b）として線形振動子（３００、４００）同士の組合、線形振動子（３００、４００）とコインタイプ振動モータ（１００）との組合などが可能である。
【００６７】
即ち、上記線形振動子（３００、４００）は上記印刷回路基板（４０）と平行な平面内の一直線上（水平方向線形振動子の場合）または上記印刷回路基板（４０）と垂直な直線上（垂直方向線形振動子の場合）で線形方向へ振動するので、振動を望む方向に対する線形振動子（３００、４００）を配すればよいのである。または、コインタイプ振動モータ（１００）との組合により印刷回路基板（４０）と水平な平面上で振動するような構成も可能である。
【００６８】
一方、周波数が異なって発生する構造を有するようにすることもできる。即ち、上記線形振動子（３００、４００）は振動量を最大化するために固有振動数に該する周波数の電圧を印加するので、結果として固有振動数と同じか/類似する周波数の振動を発生させ、コインタイプ振動モータ（１００）は偏心した回転子（R）の駆動回転数に応じて異なる振動量の振動を発生させるので、相異する周波数を有する線形振動子（３００、４００）とコインタイプ振動モータ（１００）を組み合わせて配することにより２個以上の振動周波数を有する振動発生器が可能である。
【００６９】
もちろん、周波数の異なる線形振動子（３００、４００）とコインタイプ振動モータ（１００）を相互組み合わせる場合には周波数ばかりでなく振動方向も異なる振動発生装置（１）を得られるのである。
【００７０】
例えば、第１振動発生器（１０）及び第２振動発生器（２０a、２０b）全てを振動方向が各々X軸、Y軸、Z軸方向である線形振動子（３００、３００、４００）で構成しながら、周波数を同一か相異にさせることができる。ここで、X軸とY軸方向の振動は水平方向線形振動子（３００）２個を直交させ配することにより得られる。
【００７１】
また、上記第１振動発生器（１０）をZ軸方向（垂直方向）線形振動子（４００）で構成し、第２振動発生器をコインタイプ振動モータ（１００）として２個の振動発生器のみで構成することもでき、これに追加的に異なる第２振動発生器として水平方向線形振動子（３００）を装着することもできる。
【００７２】
この他にも、多様な組合の振動発生装置（１）の構成が可能で、これから振動方向、振動周波数、振動量において多様なモードを有する振動発生装置の構成が可能である。
【００７３】
本発明による振動発生装置（１）は印刷回路基板（４０）をさらに含むことができる。上記印刷回路基板（４０）は上記第１電源印加手段（図示せず）及び上記各々の第２電源印加手段（２５a、２５b、２６a、２６b）を外部の電源と連結する。
【００７４】
この際、先述したリード線、FPCBなどの電源印加手段をハンダ付けまたはコネクタ連結を通して上記印刷回路基板（４０）と連結し、上記印刷回路基板（４０）は通信端末機本体のメインPCB（printed circuit board）（図示せず）に装着されるか他電源連結手段により外部電源と連結される。
【００７５】
好ましくは、図７のように上記印刷回路基板（４０）は上記第１コイル部（C１）及び第１磁界部（M１）を収容する第１ハウジング（１１）の底板の役目を果たすよう形成される。即ち、上記印刷回路基板（４０）が本発明であるマルチモード振動発生装置（１）全体のベース機能を行うようになる。
【００７６】
この際、図８a乃至８cのように上記印刷回路基板（４０）の上面（４０a）には上記第１電源印加手段（図示せず）及び上記各々の第２電源印加手段（２５a、２５b）と連結される上部パターン（４１、４２a、４２b）が形成され、下面（４０b）には上記上部パターン（４１、４２a、４２b）を外部電源と連結されるよう下部パターン（４５、４６a、４６b）が形成され、上記上部パターン（４１、４２a、４２b）と下部パターン（４５、４６a、４６b）は上記印刷回路基板（４０）を貫通して形成された連結口（図示せず）を通して回路的に連結される。
【００７７】
即ち、上記第１振動発生器の上記第１電源印加手段（図示せず）は上記印刷回路基板（４０）の中央部に位置した上部パターン（４１）と連結され、上記上部パターン（４１）は連結口（図示せず）を通して下部パターン（４５）と連結される。
【００７８】
同様に、上記第２電源印加手段（２５a、２５b）は各々上記印刷回路基板（４０）の上部パターン（４２a、４２b）と連結され、上記上部パターン（４２a、４２b）は各々 連結口（図示せず）を通して下部パターン（４６a、４６b）と連結される。
【００７９】
より好ましくは、通信端末機本体のメインPCB（図示せず）にリフロー装着が可能なよう、図８bまたは図８cのように上記下部パターン（４５、４６a、４６b）は上記上部パターン（４１、４２a、４２b）に対応して所定の間隔で形成された複数の同心円または同心の複数の四角形から成る。
【００８０】
ここで、上記上部パターン及び下部パターンの形状は図８a乃至８cに示したものに限られず、上記上部パターンは電源印加手段と一方の方向で連結されるようパターンが形成されることができ、上記下部パターンはリフロー装着が可能でありながら、方向性を有しないことにより自動化を容易にする構造であれば多様に変更可能である。
【００８１】
このようなリフロー装着構造のためには上記印刷回路基板（４０）が第１振動発生器（１０）のハウジング（１１）下部を形成すると共に電源印加の機能を共に行う必要があるので、上記第１振動発生器（１０）は線形振動子（３００、４００）であることが好ましい。しかし、図１cのようにハウジング下部に下部基板（１１２）、即ち印刷回路基板が設けられるならコインタイプ振動モータ（１００）も上記第１振動発生器（１０）に適用することができる。
【００８２】
一方、図５ないし図７のように本発明によるマルチモード振動発生装置（１）は上記第１振動発生器（１０）及び第２振動発生器（２０a、２０b）を囲繞して固定させるフレーム（５０）をさらに含むことができる。
【００８３】
上記フレーム（５０）は各々の振動発生器（１０、２０a、２０b）と印刷回路基板（４０）を頑丈に固定する役目を果たし、振動の発生につれて振動発生器がフレーム（５０）外部へ離脱するのを防止し、図６のように上記フレーム（５０）に形成された凹凸部（５１）と上記印刷回路基板の凹凸部（４７）が噛合い固定される形状に固定されることが好ましい。
【００８４】
また、図５のように上記フレーム（５０）は全体として「コ」の字形から成り上記第１振動発生器（１０）及び第２振動発生器（２０a、２０b）の両側面と最上側第２振動発生器（２０b）の上部面を囲繞し、上記フレーム（５０）の終端は印刷回路基板（４０）の縁端部両側に固定されることが好ましい。
【００８５】
この際、上記フレーム（５０）は上記振動発生器（１０、２０a、２０b）の形状と一致するよう変更されることができ、上記フレーム（５０）は上記振動発生器（１０、２０a、２０b）を固定する役目の他にも第２振動発生器の振動を通信端末機へ効果的に伝える役目を果たす。
【００８６】
一方、図９は本発明による制御部を示した概略図である。図９のように本発明によるマルチモード振動発生装置（１）は上記第１振動発生器（１０）及び各々の第２振動発生器（２０a、２０b）の振動発生を独立的に制御する制御部（６０）をさらに含むことができる。
【００８７】
上記制御部（６０）は上記第１振動発生器（１０）及び各々の第２振動発生器（２０a、２０b）各々を駆動させることもできるが、その内少なくとも２以上の振動発生器を同時に駆動させ振動方向または周波数が異なる複合的な振動を発生させることもできる。
【００８８】
また、振動発生器に図３及び図４の線形振動子（３００、４００）が使用される場合には上記制御部（６０）は各々の振動発生器に印加される電源の電圧を調節してコイルから発生する電界の強さ及びそれによる振動量の強さを調節することもでき、上記振動発生器（１０、２０a、２０b）に印加される電源の連結時間及び休止時間を調節することにより振動維持時間の長短を制御することもできる。
【００８９】
即ち、このような制御部（６０）を導入することにより各々の振動発生器（１０、２０a、２０b）を個別的にまたは複合的に駆動して振動方向、周波数、振動量においてより多様なモードの振動を得られるとの利点がある。
【００９０】
さらに、振動量の高低及び/または長短の調節まで可能なので使用者のニーズに応じた振動を発生させられるばかりでなくゲーム機能などマルチメディア機能にも有用な諸形態の振動モードを得られるとの利点がある。
【００９１】
本発明は特定の実施例に係わり図示し説明したが、当業界において通常の知識を有する者であれば、添付の特許請求範囲に記載された本発明の思想 及び領域を外れない範囲内で本発明を多様に修正及び変更させられることを明かしておく。
【図面の簡単な説明】
【００９２】
【図１ａ】従来のコインタイプ振動モータの分解斜視図である。
【図１ｂ】従来のコインタイプ振動モータの断面図である。
【図１ｃ】従来のコインタイプ振動モータの断面図である。
【図２】従来のバータイプ振動モータの断面図である。
【図３】従来の水平方向の線形振動子の断面図である。
【図４】従来の垂直方向の線形振動子の断面図である。
【図５】（a）、（b）、（c）は本発明によるマルチモード振動発生装置の構造の一実施例を示す斜視図である。
【図６】本発明によるマルチモード振動発生装置の分解斜視図である。
【図７】本発明によるマルチモード振動発生装置の断面図である。
【図８ａ】本発明による印刷回路基板の上部及び下部パターンの一実施例を示す平面図である。
【図８ｂ】本発明による印刷回路基板の上部及び下部パターンの一実施例を示す平面図である。
【図８ｃ】本発明による印刷回路基板の上部及び下部パターンの一実施例を示す平面図である。
【図９】本発明による制御部を示した概略図である。
【符号の説明】
【００９３】
１０  第１振動発生器
１１、２１a、２１b  ハウジング
２０、２０a、２０b  第２振動発生器
２５a、２５b  FPCB
４０  印刷回路基板
４０a  印刷回路基板の上面
４０b  印刷回路基板の下面
４１、４２a、４２b  上部パターン
４５、４６a、４６b  下部パターン
５０  フレーム
１００  コインタイプ振動モータ
２００  バータイプ振動モータ
３００  水平方向線形振動子
４００  垂直方向線形振動子
【図１ａ】
2006088145.tif 000004
【図１ｂ】
2006088145.tif 000005
【図１ｃ】
2006088145.tif 000006
【図２】
2006088145.tif 000007
【図３】
2006088145.tif 000008
【図４】
2006088145.tif 000009
【図５】
2006088145.tif 000010
【図６】
2006088145.tif 000011
【図７】
2006088145.tif 000012
【図８ａ】
2006088145.tif 000013
【図８ｂ】
2006088145.tif 000014
【図８ｃ】
2006088145.tif 000015
【図９】
2006088145.tif 000016